(57)【要約】【課題】ハードディスク装置単体でのパスワードロックその他の機能を設定すること。【解決手段】制御回路23からの制御信号により任意の英数字を表示する表示部21と、回動によって英数字に対応する指示信号を選択的に出力し、１回の短時間の押圧により表示した数値等を確定し、長押しにより確定した英数字を前記制御回路に送信するボタン付きダイヤル22と、該ボタン付きダイヤル22から送信された指示信号に対応した表示部21への英数字の表示並びにハードディスク本体部24の制御を行う制御回路23とを備え、ボタン付きダイヤル22から送信された指示信号に対応する英数字とメモリに記憶したパスワードが一致したとき、ハードディスク本体部24の外部とのインタフェースを切断するパスワードロック機能を実行するもの。【選択図】図１
0003125235.tif 000002
【実用新案登録請求の範囲】
【請求項１】
外部とインタフェースを介して接続される接続部を有し、データの記録再生を行うハードディスク本体部と、該ハードディスク本体部を制御する制御回路とを備えるハードディスク装置であって、
前記制御回路からの制御信号により任意の記号を表示する表示部と、
該表示部に表示された記号と連動し、記号の変更を指示でき得る表示変更部とを備え、
前記制御回路が、前記表示変更部により指示された記号に対応する指示信号を受信したとき、該指示信号に対応したハードディスク本体部に対する制御を実行することを特徴とするハードディスク装置。
【請求項２】
外部とインタフェースを介して接続される接続部を有し、データの記録再生を行うハードディスク本体部と、該ハードディスク本体部を制御する制御回路とを備えるハードディスク装置であって、
前記制御回路からの制御信号により任意の記号を表示する表示部と、
回動によって記号に対応する指示信号を選択的に出力する選択表示機能と、第１の操作により前記表示部に表示した記号を確定する確定機能と、第２の操作により前記確定した記号を前記制御回路に送信する送信機能とを有するボタン付きダイヤルとを備え、
前記制御回路が、前記ボタン付きダイヤルの確定機能により確定された記号に対応する指示信号を前記送信機能により受信したとき、該指示信号に対応したハードディスク本体部に対する制御を実行することを特徴とするハードディスク装置。
【請求項３】
前記ハードディスク本体部の磁気ディスクが、予め設定された複数の記号の組み合わせからなる設定パスワードを記憶し、前記制御回路が、前記表示変更部から受信した複数の記号の組み合わせに対応する指示信号を受信し、該受信した指令信号が前記磁気ディスクに記憶した設定パスワードと一致したとき、ハードディスク本体部の外部とのインタフェースを切断するパスワードロック機能を実行することを特徴とする請求項１又は２記載のハードディスク装置。
【請求項４】
前記制御回路のハードディスク本体部に対する制御が、ハードディスク本体への書込を禁止するライトプロテクト機能と、前記インタフェースを介した外部データのバックアップを行うバックアップ機能と、ハードディスク本体部の診断を行う診断機能と、前記複数の機能をリセットするリセット機能を含むことを特徴とする請求項１又は２又は３記載のハードディスク装置。
【考案の詳細な説明】
【技術分野】
【０００１】
本考案は、ボタン操作によってパスワードロック他の多数の機能を選択的に設定解除することができるハードディスク装置に関する。
【背景技術】
【０００２】
一般に外付け型のハードディスク装置は、パーソナルコンピュータ（ＰＣ）の内蔵ハードディスク装置に記憶したデータのバックアップや、システム障害時に復旧を目的として前記内蔵ハードディスク装置のイメージファイルの保管や、記憶容量増大のための増設用記憶装置として使用されている。
【０００３】
この外部接続型のハードディスク装置は、パーソナルコンピュータとＵＳＢやＵｌｔｒａＡＴＡ等のインタフェースコネクタによって接続されているため、パーソナルコンピュータから容易に取り外すことができ、このためハードディスク装置が外部に持ち出され、記憶したデータが外部へ漏洩する可能性があった。
【０００４】
この不具合を解決するための従来技術としては、パーソナルコンピュータからハードディスク装置にパスワードを設定する技術や、下記特許文献に記載された技術が知られており、この特許文献には、ハードディスク装置とパーソナルコンピュータとの間に情報漏洩防止装置を配し、該情報漏洩防止装置が、ハードディスク装置にセキュリティ・セット・コマンド及びパスワードを設定し、ハードディスク装置が外部に持ち出された場合であってもハードディスク装置にセットしたセキュリティ・セット・コマンド及びパスワードにより、データの漏洩を防止する技術が記載されている。
【特許文献１】特開２００６−５９０２５号公報
【考案の開示】
【考案が解決しようとする課題】
【０００５】
前記従来技術による漏洩防止技術は、パーソナルコンピュータから利用者がハードディスク装置にパスワードを設定するソフトウェアを立ち上げ、パスワードの入力等の操作を行わなければならず、操作が繁雑であると言う不具合や、パーソナルコンピュータが起動中でなければパスワードロックを設定することができないと言う不具合があった。
【０００６】
また前記特許文献記載の技術は、専用の情報漏洩防止装置を用いるために、多数のパーソナルコンピュータ毎に配置しなければならず、コスト高になると言う不具合があった。
【０００７】
本考案の目的は、前述の従来技術による不具合を除去することであり、ハードディスク装置単体でパスワードロックその他の機能を容易に設定解除することができるハードディスク装置装置を提供することである。
【課題を解決するための手段】
【０００８】
上記の目的を達成するため本考案は、外部とインタフェースを介して接続される接続部を有し、データの記録再生を行うハードディスク本体部と、該ハードディスク本体部を制御する制御回路とを備えるハードディスク装置であって、前記制御回路からの制御信号により任意の記号を表示する表示部と、該表示部に表示された記号と連動し、記号の変更を指示でき得る表示変更部とを備え、前記制御回路が、前記表示変更部により指示された記号に対応する指示信号を受信したとき、該指示信号に対応したハードディスク本体部に対する制御を実行することを第１の特徴とする。
【０００９】
更に本考案は、外部とインタフェースを介して接続される接続部を有し、データの記録再生を行うハードディスク本体部と、該ハードディスク本体部を制御する制御回路とを備えるハードディスク装置であって、前記制御回路からの制御信号により任意の記号を表示する表示部と、回動によって記号に対応する指示信号を選択的に出力する選択表示機能と、第１の操作により前記表示部に表示した記号を確定する確定機能と、第２の操作により前記確定した記号を前記制御回路に送信する送信機能とを有するボタン付きダイヤルとを備え、前記制御回路が、前記ボタン付きダイヤルの確定機能により確定された記号に対応する指示信号を前記送信機能により受信したとき、該指示信号に対応したハードディスク本体部に対する制御を実行することを第２の特徴とする。
【００１０】
更に本考案は、前記何れかの特徴のハードディスク装置において、前記制御回路が、予め設定された複数の記号の組み合わせからなる設定パスワードを記憶するメモリを有し、前記表示変更部から受信した複数の記号の組み合わせに対応する指示信号を受信し、該受信した指令信号が前記メモリに記憶した設定パスワードと一致したとき、ハードディスク本体部の外部とのインタフェースを切断するパスワードロック機能を実行することを第３の特徴とし、前記何れかの特徴のハードディスク装置において、前記制御回路のハードディスク本体部に対する制御が、ハードディスク本体への書込を禁止するライトプロテクト機能と、前記インタフェースを介した外部データのバックアップを行うバックアップ機能と、ハードディスク本体部の診断を行う診断機能と、前記複数の機能をリセットするリセット機能を含むことを第５の特徴とする。
【考案の効果】
【００１１】
本考案は、制御回路がハードディク装置に取り付けられた表示変更部（ボタン付きダイヤル）により入力された記号（英数字）に対応したハードディク本体部に対する制御を実行するため、ハードディスク装置単体でパスワードロックその他の機能を容易に行うことができる。
【考案を実施するための最良の形態】
【００１２】
以下、本考案の一実施形態によるハードディスク装置を図面を参照して説明する。図１は本実施形態によるハードディスク装置を含むコンピュータシステムを示す図、図２は本実施形態によるハードディスク装置の構成を示す図、図３は本実施形態によめボタン付きダイヤルの表示機能を説明するための図、図４は本実施形態によるボタン付きダイヤルの機能を示す図である。
＜構成説明＞
【００１３】
本実施形態の対象となるハードディスク装置（ＨＤＤ）を含むコンピュータシステムは、図１に示す如く、ディスプレイ１１及びキーボート１３等と接続するパーソナルコンピュータ（ＰＣ）１０と、該パーソナルコンピュータ１０とＵＳＢケーブル１２を介して接続され、パーソナルコンピュータ１０のデータやプログラムを格納する外付け型のハードディスク装置２０とから構成される。
【００１４】
本実施形態によるハードディスク装置２０は、図２に示す如く、記号、例えば英数字を表示する表示部２１と、該表示部２１に回転操作により英数字を表示すると共に、押圧条件によって後述する機能に対応する制御信号を発生するボタン付ダイヤル２２と、データ並びにプログラムを記憶するハードディスク本体部２４と、前記表示部２１とボタン付ダイヤル２２とハードディスク本体部２４とに接続され、ボタン付ダイヤル２２からの指示信号により指定された機能をハードディスク本体部２４に設定又は解除する制御回路２３とから構成される。尚、本実施形態によるハードディスク装置２０は、外部とのインタフェース回路やインタフェース接続部や電源回路等を備えるものであるが、本明細書においては説明を省略する。
【００１５】
前記ハードディスク本体部２４は、磁気ディスクと、該磁気ディスク上に位置付けられてデータのリードライトを行う磁気ヘッドと、該磁気ヘッドの磁気ディスク上への位置付けを行うボイスコイルモータを含む位置付け機構とを備え、外部とインタフェース回路を介して外部のパーソナルコンピュータ他との間においてデータのリードライトを行うものである。またハードディスク本体部２４は、後述するハードディスク本体部２４と外部との接続を切断（ロック）するためのパスワードを磁気ディスクに記憶しているが、後述の制御回路のメモリに記憶しても良い。
【００１６】
前記制御回路２３は、後述の各種機能に対応する指示信号が入力されたときの動作をプログラムとして格納する不揮発性メモリを内蔵し、前記ボタン付ダイヤル２２からの指示信号によりハードディスク本体部２４に対する各種機能を制御するように構成されている。
【００１７】
前記ボタン付きダイヤル２２は、回動されることにより数値及びアルファベットから成る記号を表示部２１に表示するための指示信号を制御回路２３に出力し、この数値及びアルファベットを表示部２１に表示した状態において、１回の短時間（例えば０．５秒〜１秒）の押圧や長押し（１秒〜５秒）等の押圧操作によって異なる機能設定を行う機能を有し、これら機能に対応した指示信号を制御回路２３に送信するものであり、前記表示部２１は、前記ボタン付きダイヤル２２の機能に基づく制御回路２３からの制御信号によって数値及びアルファベットを表示するものである。尚、表示する記号は英数字に限られるものではなく、他の言語や図柄等であっても良く、このボタン付きダイヤル２２は表示変更部とも呼ぶことができる。
【００１８】
前記ボタン付きダイヤル２２は、図３に示す如く、クリック式の回転操作によって数字「１〜９」、英字「ｄ」、「ＯＫ」他を選択式に表示部２１に表示する選択表示機能と、１回の短時間の押圧操作（第１の押圧操作）により表示部２１に表示した数値等を確定する確定機能と、長押し押圧操作（第２の押圧操作）により前記確定した数値等に対応する指示信号を前記制御回路２３に送信する送信機能とを備える。
【００１９】
また制御回路２３は、前記ボタン付きダイヤル２２の送信機能により送信された英数字に対応する指示信号に応じてＨＤＤ本体部２４を制御する機能を有し、この機能としては、パスワードの入力によってＨＤＤ本体部２４と外部とのインタフェースを切断するパスワードロック機能と、ＨＤＤへの書込のみを禁止するライトプロテクト機能と、前記パスワードの表示部２１への表示を禁止するサイレント機能と、ＰＣの記憶データをバックアップするバックアップ機能と、ＨＤＤ本体部２４の自己診断を行う自己診断機能と、各種設定をリセットするリセット機能とを有し、これら機能は例えば図４に示す如く表示した英数字毎に設定される。
【００２０】
本実施形態による各機能は、例えば、図４に示す如く、表示した数値「１」に前記ライトプロテクト機能、数値「２」に前記サイレント機能、数値「３」にデバイス自動取り出し機能、数値「４」にバックアップ機能、数値「６」にドライブ自己診断機能、英字「ｄ」にリセット機能を設定している。
＜動作説明＞
【００２１】
さて、この様に構成した本実施形態によるハードディスク装置２０は、図１に示した如く、パーソナルコンピュータ１０と接続された状態において、前記ボタン付ダイヤル２２の操作によって次に挙げる動作を行うものであり、この動作を以下説明する。
［パスワードロック動作機能］
【００２２】
このパスワードロック動作機能は、本実施形態によるハードディスク装置２０の標準動作であって、ボタン付ダイヤル２２が、パスワードロックをかけるために利用者によりボタン付ダイヤル２２が回転されたときに該回転に応じた任意の数値を表示部２１に表示させ、該ボタン付ダイヤル２２の（短時間）押圧することが繰り返されることにより任意の数値字列から成るパスワードを確定し、該ボタン付ダイヤル２２が長押しされることによって前記数値字列から成るパスワードを制御回路２３に送信し、この制御信号を受けた制御回路２３が、入力したパスワードと予め磁気ディスクに記憶したパスワードとが一致するか否かを判定し、一致すると判定したとき、ハードディスク本体部２４とパーソナルコンピュータ１０とのインタフェースを切断し、パーソナルコンピュータ１０からハードディスク装置２０を認識不能に設定するように動作する。このパスワードロック動作機能が設定されたとき、制御回路２３が表示部２１にパスワードロックが設定されたことを表示する文字「ＯＫ」を表示する。
【００２３】
次いで利用者がパスワードロックを解除するために、ボタン付ダイヤル２２が、前記同様にボタン付ダイヤル２２の回転並びに（短時間）押圧の繰り返しによりパスワードが確定され、該ボタン付ダイヤル２２を長押しすることにより、該パスワードを制御回路２３に送信したとき、制御回路２３が、予め記憶したパスワード（英数字の組み合わせ）と一致するか否かを判定し、一致すると判定したとき、ハードディスク本体部２４とパーソナルコンピュータ１０とのインタフェースを復旧し、パーソナルコンピュータ１０からハードディスク装置２０が認識し、リード／ライト可能なように動作する。
【００２４】
この様に本実施形態によるハードディスク装置２０は、ボタン付ダイヤル２２の操作によりパスワードの入力−確定−制御回路への送信を行うことにより、制御回路２３が、ハードディスク本体部２４へのパーソナルコンピュータ１０に対するロック／アンロックを行うことができ、ハードディスク装置２０単体で容易にパスワードロック及びアンロックを行うことができる。
［他動作機能］
【００２５】
本実施形態によるハードディスク装置２０は、前述のパスワードロック機能に加え、更なる多機能を有するものであり、この機能を次に説明する。
【００２６】
この機能は、例えば図４に示したライトプロテクト機能を例にとって説明すると、ボタン付ダイヤル２２が利用者により回転されて表示部２１に数値「１」を表示し、この数値「１」を（短時間）押圧により確定し、続いて長押しにより前記数値「１」を制御回路２３に送信したとき、制御回路２３が、前記数値「１」に対応するライトプロテクト機能をハードディスク本体部２４が成すための指示信号をハードディスク本体部２４に送信することによって、ライトプロテクト機能が達成され、他のサイレント機能／オートイジェクト機能／オートバック機能／仮想ＣＤ−ＲＯＭ機能／診断機能についても同様である。
【００２７】
また本ハードディスク装置２０は、前記ボタン付ダイヤル２２が利用者により回転されて表示部２１に数値「ｄ」を表示し、この数値「ｄ」を（短時間）押圧により確定したとき、ボタン付ダイヤル２２が、それまで確定した数値等をリセットする様に動作することによって、それまでの数値等並びに各種機能をリセット乃至停止することができる。
【００２８】
尚、前述の実施形態においては、ライトプロテクト機能等の動作においてパスワード入力を不要とした例を説明したが、前記［パスワードロック動作機能］にて説明したパスワードによる認証を加えても良い。また前記実施形態においては、ボタン付ダイヤル２２による機能が図４に示した機能例を説明したが、図４の例に限られるものではなく、パーソナルコンピュータ１０を介して新たな機能設定も行うことができる。更に本実施形態においては、ボタン付きダイヤルと表示部とを別設した例を説明したが、本考案はこれに限られるものではなく、例えば英数字の表示機能と選択機能と該選択された英数字に対応した指令信号を制御回路に送信する送信機能とを一体化した回路機構を使用しても良い。
【００２９】
以上述べた如く、本実施形態によるハードディスク装置２０は、ボタン付ダイヤル２２を用いて複数の機能選択と機能確定と機能送信とを行い、これを受けた制御回路が送信された制御信号に応じた機能をハードディスク本体部２４に設定するため、ハードディスク装置単体において各種機能を容易に設定／解除することができる。
【図面の簡単な説明】
【００３０】
【図１】本考案の一実施形態によるハードディスク装置を含むコンピュータシステムを示す図。
【図２】本実施形態によるハードディスク装置の構成を示す図。
【図３】本実施形態によめボタン付きダイヤルの表示機能を説明するための図。
【図４】本実施形態によるボタン付きダイヤルの機能を示す図。
【符号の説明】
【００３１】
１０：パーソナルコンピュータ、１１：ディスプレイ、１２：ＵＳＢケーブル、１３：キーボート、２０：ハードディスク装置、２１：表示部、２２：ボタン付ダイヤル、２３：制御回路、２４：ハードディスク本体部。
【図１】
0003125235.tif 000003
【図２】
0003125235.tif 000004
【図３】
0003125235.tif 000005
【図４】
0003125235.tif 000006